(57)【要約】      （修正有）【課題】不潔と思われるトイレ用スリッパを履く時や脱ぐ時に容易に利用でき、廊下との段差の有る所をスムーズに利用出来る機能を持つスリッパ台を提供する。【解決手段】スリッパ台２は本体と１本のシャフトとが一体と成っていて、そのシャフトを利用し、そのシャフトが上下する様にトイレのドア１の下方内壁に設置する。またその台は常時バネによって上方に持ち上げられ、床３から浮いた状態の上で保持されている。それによりスリッパを載せたままスリッパ台はトイレのドアと一緒に回転できる。スリッパを使用する人は考案されたスリッパ台の上にて履き替え、また使用後もその台の上にて履き替えるという事が可能となる。【選択図】図１
0003152644.tif 000002
【実用新案登録請求の範囲】
【請求項１】
トイレ用引戸の内壁面下方部でかつ引戸を開けた際の開放端近傍に設けられたトイレの履物台であって、該履物台はトイレ用履物を載置する載置台本体と、該載置台本体を床面に接地する位置と床面から離間した位置との間でトイレ用引戸の内壁面に沿って鉛直方向に移動可能にする載置台案内軸と、該載置台を常時鉛直上方の床面から離間した位置に付勢する弾性体と、該載置台を載置台案内軸の周りで回動可能とすることを特徴とするトイレの履物台。
【考案の詳細な説明】
【技術分野】
【０００１】
本考案は不潔と思われるトイレ用スリッパ等の履物を履く時や脱ぐ時に容易に利用でき、廊下との段差の有る所をスムーズに利用出来る機能を持つスリッパ台である。本考案はトイレの出入り口、引き戸のドアの下の方に設置される台で、其の上にスリッパを乗せて其のスリッパを廊下からトイレに出入りする時に履いたり脱いだりする時にいつも一定した所に出て来る物です。また本考案はトイレ内に入退室時にトイレ内使用するスリッパを履いたり脱いだりするに際し、その出入りする方向に沿ってスリッパを脱ぎすてても、次に逆に出入りする方向からそのスリッパを履く時には、その履物を履きやすい逆方向に転換させるスリッパの方向転換装置に関するものである。
【背景技術】
【０００２】
一般家庭においてトイレから出るときにトイレ用スリッパをそのまま進行方向バラバラに脱ぎ置かれることが多い。そのため次ぎにトイレに入る人は逆向きに脱ぎおかれているスリッパを履きやすい方向に手で持って揃えてから使用するか、あるいわ履物の向きに合わせるように身体を捻って使用する必要があった。また次に使用する為にトイレから出る時にスリッパの向きを揃えるためには、狭いトイレの中で体を回転させてトイレ内のスリッパを脱いだりしなければならない。狭いトイレ内で体を回転させる動作が極めて面倒で煩わしい問題があった。そこで狭いトイレ内でも体を回転させずに容易にスリッパの方向が揃えられる、或いは掃除の時もそのスリッパをスムーズに移動できるような便利で清潔と思われるスリッパ台の開発が望まれている。従来にもスリッパの方向変換装置の提案は種々あった（特許文献1及び2参照）
【先行技術文献】
【特許文献】
【０００３】
【特許文献１】特開2006-296902号
【特許文献２】特開2002-10899号
【考案の概要】
【考案が解決しようとする課題】
【０００４】
しかしながら従来のスリッパ方向変換装置は、特別な動力や複雑な駆動機構を必要としていた。更にはトイレ内の床上に設置される為、掃除等の際には邪魔となっていた。
本考案は、トイレに入ったり出たりするときにスリッパの向きを気にして身体を回転したりすることなく容易にスリッパに履き替えることができ、特別な動力や機構を使うことなく低コストで実現でき、掃除の時も邪魔になることなく、更には手でスリッパに触れずに済むような便利で清潔と思われるスリッパ台（スリッパ方向変換装置）の開発を目的とするものである。特に引戸方式のトイレドアに適用されるものである。
【課題を解決するための手段】
【０００５】
本考案は、トイレ用引戸ドアの内壁面下方部でかつ引戸ドアを開けた際の開放端近傍に設けられるトイレの履物台であって、該履物台はトイレ用履物を載置する載置台本体と、該載置台本体を床面に接地する位置と床面から離間した位置との間でトイレ用引戸ドアの内壁面に沿って鉛直方向に移動可能にする載置台案内軸と、該載置台を常時鉛直上方の床面から離間した位置に付勢する弾性体と、該載置台を載置台案内軸の周りで回動可能ととすることを特徴とするトイレの履物台により、上述した問題点を解決している。
【考案の効果】
【０００６】
本考案により履物を履く時、脱ぐ時に足元で揃えると言った動作的負担は軽減される。このスリッパ台は体の不自由な人達でも楽に履物を履いたり脱いだり出来る特徴が有る。本考案のスリッパ台は開け閉めするドアの下に設置されている為にトイレを使用する時に体の向きを変える事なく、又、スリッパが台と一緒に足元に出て来る為楽に使用出来る特徴がある。さらに本考案のスリッパ台は従来のものより複雑でなく低コストで実現出来る。何時ドアを開けると一定の箇所に一定の方向を向いたスリッパ（履物）が出て来る。又、本考案のスリッパ台はドアと一緒に移動する為トイレ内はいつも整頓されていて、其の為に掃除も安易に出来る。又、本考案はいつもドアに着いている（一体となっている）為、使用後ドアを閉めた時にもトイレの中に納まる為、身栄えが良く邪魔にならない特徴を持っている。
【図面の簡単な説明】
【０００７】
【図１】トイレ内部から見た本発明の概要図
【図２】トイレ外部から見た本発明の概要図
【図３】本発明の１実施例の構成を説明する図
【考案を実施するための形態】
【０００８】
以下、添付図面に従って本考案の最良の実施形態を説明する。
図1は本考案になるスリッパ台をトイレ内部から見た概観図である。この場合引戸ドアは閉められた状態となっている。図２は本考案になるスリッパ台をトイレ外部から見た概観図である。この場合引戸ドアは開けられた状態となっている。
１はトイレのドアであって引戸方式のドアである（以下、単にドアという）。２はトイレのドア内壁の下方部に設けたスリッパ台（履物台）、３はトイレの内廊下、床面、４はトイレの外部廊下である。また、スリッパ台２はドアの開放端近傍（引戸ドアを開けた際には開放側の端面近傍）に設けられている。
図３は前期スリッパ台３の構造を説明している。５はスリッパ台の本体であり、スリッパが載置されるところの長方形の板状部材である。長方形の片面を丸くカットする。そうするとドアを閉めた時、その丸い部分の箇所に閉めた側の壁側に触れると角が丸いため自然に回動して元の位置に戻る原理が働く。その板状部材（スリッパ台本体５）の一側端部から１本のスリッパ台シャフト６が板状部材から垂直に立ち上がっている。また、トイレのドア内壁部下方には、スリッパ台シャフト６を案内するシャフトガイド７がネジ８により取り付けられている。尚、ネジを使わずに両面テープ等を使って固定しても良い。
添付図面事例では、１本のスリッパ台シャフト６はシャフトガイド７において上下方向と回転方向に移動可能に案内される。上下のシャフトガイドの間にスプリング９が設けられている。更に、スプリング９は下のシャフトガイド上端とスリッパ台シャフト６に設けられたピン１０の間で圧縮状態と横に曲がるように規制されている。その為、スプリング９はスリッパ台シャフト６に設けられたピン１０を解してスリッパ台5を常時上と横に捻れを利用して足元に向きを変えてスリッパ台と一緒に出てくる様にスプリングの硬質を利用して備え付ける。つまり、スリッパ台と一体構造されているスリッパ台本体と、５の下面部トイレ内の床面位置まで可動しなければならない。又、上向きではスリッパ台の下面部がトイレのドアの下端部より上に位置するまで可動できる事が望ましい。これにより、スリッパ１１が載置されたスリッパ台本体５は引き戸の場合、床面より浮いた状態でトイレのドア１と一体で移動する為、下端部に傷が着かずに開閉可能となる。又、スリッパ台本体５の上に人間が乗ってスリッパを脱いだり履いたりする際、スリッパ台本体５は床面に接地することとなる。
次に、上記構成になる本考案スリッパ台の使用態様を説明する。
トイレから出る際、ドアに向かってスリッパ台本体５の上に立つと、スリッパ台本体５はスプリング９に抗して床面に接地し、ドア１及び、スリッパ台本体５は動くことなく、安全にスリッパ１１を脱ぎ、置くことができる。スリッパ台本体５から降りると、スリッパ１１はトイレのドア１の横向きにスリッパ台本体５の上に載置された状態のまま、スプリング９によりスリッパ台本体５はわずかに上方に持ち上げられ、床上の段差に関係なく、ドア１と一体に開閉可能となる。
次に、トイレを使用する際、トイレのドア１を開けると、トイレのドア１の内壁に設けられたスリッパ台本体５が現れる。スリッパ台本体５の上のスリッパ１１は脱ぎ置いたままのトイレのドア１の内壁横に向けた状態で載置されている。トイレのドア１を開けた使用者は、トイレのドア１の内壁横に向かって進み、スリッパ台本体５上のスリッパ１１に足を乗せる。すると、スリッパ台本体５はスプリング９に抗して床面上に接地し、ドア１及びスリッパ台本体５は動く事無く、安全に１１を履く事ができる。以上、説明した様に、トイレ使用者はトイレ使用後スリッパを脱ぐ際に、トイレから出る方向であるトイレのドアの内壁横に向けた状態でスリッパを脱ぐだけで、次の使用者が履きやすい方向にスリッパの向きを位置することができる。スリッパ台はドアを開けるとドアの下方についているために、ドアを開けるとその台の上に履き替えようのスリッパが載っていて足元に出て来るため、そのスリッパの上に載るとスリッパと一緒にその台が上に上がるために床面に傷が着かずにスムーズに履き変えができるものである。なお、本考案はトイレ以外であってもその部屋専用の履物を使用する部屋のドアに利用出来ることは勿論である。また、スリッパ台本体の上下左右案内機構は、上記に限らず、種々且つ周知のガイド機構が利用出来ることは言うまでもない。
【符号の説明】
【０００９】
１  トイレのドア
２  ドアの下部に設けられるスリッパ台
３  トイレ内の床面
４  トイレ外側の廊下
５  スリッパ台本体
６  スリッパ台シャフト
７  シャフトガイド
８  シャフトガイドをドアに固定させるネジ
９  本体を上下左右されるスプリング
１０  スプリングを固定させるピン
１１  スリッパ
【図１】
0003152644.tif 000003
【図２】
0003152644.tif 000004
【図３】
0003152644.tif 000005